(57)【要約】      （修正有）【課題】災害時等の長時間の停電で心理的な不安を解消させるために、外部電源を供給するための機構を設けることにより部屋全体を明るく照らすシーリングライトを提供する。【解決手段】シーリングライト４のシーリングキャップと電子回路１３との間または電子回路内の交流電力を直流電力に変換する回路と照明用回路との間に電源用ソケットまたはコネクター８を設け、これに接続された電源コード１１と電源プラグ１２を２次電源装置に接続し電力を供給してシーリングライトを点灯させる。２次電源装置は、発電機、蓄電器（ポータブル蓄電器等）、バッテリー（インバータ等が必要）などの交流電力または、バッテリー、モバイルバッテリー、電池などの直流電力を利用する。商用電力の復旧または２次電源装置の電力供給による感電や火災を防止するために切り替えスイッチ７を設け商用電力と２次電力を切り替える様にする。【選択図】図４
0003228616.tif 000002
【実用新案登録請求の範囲】
【請求項１】
天井２の引掛シーリングボディ３に接続する一般のシーリングライト４に切り替えスイッチ７と電源用ソケットまたはコネクター８と電源コード１１と電源プラグ１０，１２から構成される電源ケーブル９からなる接続機構を有する構造で、
切り替えスイッチ７は、シーリングライト４のシーリングキャップ５と電源用ソケットまたはコネクター８とシーリングライト４の電子回路１３と接続しシーリングライト４のシーリングキャップ５から流れる商用電力と電源用ソケットまたはコネクター８から流れる２次電源装置（発電機，蓄電器，バッテリー，モバイルバッテリー，電池等）の電力を切り替えシーリングライト４の電子回路１３の交流電力接続部１４または直流電力接続部１５に電力を供給し、
電源用ソケットまたはコネクター８は、電源コード１１と電源プラグ１０，１２から構成される電源ケーブル９と接続し、
電源ケーブル９は、２次電源装置（発電機，蓄電器，バッテリー，モバイルバッテリー，電池等）に接続し、
停電時に切り替えスイッチ７で電力の供給元を商用電力から２次電源装置（発電機，蓄電器，バッテリー，モバイルバッテリー，電池等）の電力に切り替えシーリングライト４を点灯させる接続機構を有する非常電源供給機構付シーリングライト。
【請求項２】
前記の接続機構を有するシーリングライトで、
シーリングライト４のシーリングキャップ５からの電力を切り替えスイッチ７の接続端子のａ接点に接続し、
電源プラグまたはコネクター８からの電力を切り替えスイッチ７の接続端子のｂ接点に接続し、
切り替えスイッチ７の接続端子のｃ接点からの電力を電子回路１３の交流電源接続部１４に接続し、切り替えスイッチ７により切り替えられた商用電力または２次電源装置（発電機，蓄電器，バッテリー（バッテリーとの接続の場合はインバータが必要）など）の交流電力によりシーリングライト４を点灯させることを特徴とする請求項１記載の非常電源供給機構付シーリングライト。
【請求項３】
前記の接続機構を有するシーリングライト４の切り替えスイッチ７の接続先を交流電力の接続先と直流電力の接続先の２つに分けて、
１つ目の接続先として、
シーリングライト４のシーリングキャップ５からの商用電力は切り換えスイッチ７の接続端子のａ接点に接続し、
切り替えスイッチ７の接続端子のｃ接点からの電力を電子回路１３の交流電源接続部  １４に接続し、
切り替えスイッチ７の接続端子のｂ接点は未接続として交流電力を絶縁し、
２つ目の接続先（切り替えスイッチの１つ目の接続先とは別の回路）として、
電源用ソケットまたはコネクター８からの２次電源装置（バッテリー，電池，モバイルバッテリーなど）の直流電力は切り換えスイッチ７の接続端子のｂ接点に接続し、
切り替えスイッチ７の接続端子のｃ接点からの電力を電子回路１３の交流電源を直流へ変換する回路と照明用回路の間の直流電力接続部１５に接続し、
切り替えスイッチ７の接続端子のａ接点は未接続として直流電力を絶縁し、
シーリングライト４のシーリングキャップ５からの商用電力の交流電力と電源用ソケットまたはコネクター８からの２次電源装置の直流電力を切り替えスイッチ７により切り替えてシーリングライト４を点灯させることを特徴とする請求項１記載の非常電源供給機構付シーリングライト。
【考案の詳細な説明】
【考案の詳細な説明】
【技術分野】
【０００１】  本考案はシーリングライトに外部電源用の電源用ソケットまたはコネクターを取り付けることにより停電時においてこの外部電源用の電源用ソケットまたはコネクターより電力を供給させてシーリングライトを点灯させる構造に関するものである。
【背景技術】
【０００２】  従来、停電時においての非常灯は懐中電灯または、バッテリー，発電機等の電源を利用した照明器具となりこの様な非常灯では部屋全体を明るく照らすことができなかった。【０００３】  平常時の家庭生活を維持するには部屋全体を明るく照らす必要性があり、災害時等の長時間にわたる停電での生活においても心理的な不安を解消させるためには、部屋全体を明るく照らす必要性があり既存のシーリングライトの位置での照明が求められた。
【考案の概要】
【考案が解決しようとする課題】
【０００４】  災害時における長時間の停電等において心理的な不安を解消させるためにシーリングライトによる部屋全体の照明が求められ、既存の位置に取り付けられているシーリングライトに外部電力を供給可能にすることによりシーリングライトを点灯させ部屋全体を明るく照らすことを目的とする。
【課題を解決するための手段】
【０００５】  シーリングライトを天井に吊るしかつ商用電力を供給するための役割である引掛シーリングキャップとシーリングライトの電子回路との間に電源用ソケットまたはコネクターを設け２次電源装置の電力を供給する。【０００６】  ２次電源装置の電力の供給方法はシーリングライトに取り付けた電源用ソケットまたはコネクターに電源コードと電源プラグから構成されている電源ケーブルを接続し、この電源プラグにバッテリー・発電機・蓄電器等の２次電源装置を接続して電力を供給する。（バッテリーとの接続の場合はインバータが必要となる）【０００７】  シーリングライトの引掛シーリングキャップと新たに取り付けた電源用ソケットまたはコネクターは停電解消時に感電を防止するためと２次電源装置の電力供給時における火災等を防止するためにスイッチ等を設け通電しないように絶縁する。【０００８】  天井側から供給される商用電力の電力と２次電源装置の電力を絶縁するために使用するスイッチは機械的な構造のスイッチ、手動の切り替えスイッチ、電磁弁，リレー等を利用した電気的なスイッチ等が考えられるが確実な切り替えが行えるようにしたいので、シンプルな構造でかつ確実に絶縁できる手動の切り替えスイッチで絶縁する。【０００９】  取り付けた電源用ソケットまたはコネクターに接続する電源ケーブルの電源プラグを２次電源装置であるバッテリー・発電機・蓄電器等に接続する。（バッテリーの場合はインバータが必要で電源プラグの接続はインバータとなります）
【考案の効果】
【００１０】  停電時にシーリングライトの電源用ソケットまたはコネクターに電源ケーブルを取り付け切り替えスイッチで切りかえるだけなので工具等の必要がなく容易に接続できる。【００１１】  ２次電源装置の電力を利用することによりシーリングライトの機能が容易に確保できる。【００１２】  シーリングライトの高さが変わらないことにより部屋全体の明るさは平常時の明るさと同等の明るさが確保できる。【００１３】  天井に付いている引掛シーリングボディとシーリングライトの引掛けシーリングキャップはスイッチにより絶縁しているので地震や水害での停電においても他の家電品等の出火，ショート，感電の心配が無く２次電源装置の電力を供給も安心して使用できる。【００１４】  天井に付いている引掛シーリングボディと接続されたシーリングライトの引掛けシーリングキャップは切り替えスイッチにより絶縁されているので水害により１階が水没した場合においても２次電源装置が有ればどこでも使用でき、水害時の緊急避難において２階での使用が期待できる。
【図面の簡単な説明】
【００１５】
【図１】非常電源供給機構付シーリングライト全体のブロック図
【図２】非常電源供給機構付シーリングライトのブロック図１（交流の場合）
【図３】非常電源供給機構付シーリングライトのブロック図２（直流の場合）
【図４】非常電源供給機構付シーリングライトの全体図  （ａ）非常電源供給機構付シーリングライトの側面図  （ｂ）非常電源供給機構付シーリングライトの側面図（電源供給側）  （ｃ）非常電源供給機構付シーリングライトの上面図
【図５】非常電源供給機構付シーリングライトのスイッチ部分の拡大図
【図６】切り替えスイッチの接続図（例）  （ｄ）２次電源装置が交流の接続図  （ｅ）２次電源装置が直流の接続図
【考案を実施するための形態】
【００１６】  非常電源供給機構付シーリングライトは、現在一般的に販売されているシーリングライト４の一部に２次電源装置の電力を供給するための切り替えスイッチ７と電源用ソケットまたはコネクター８を接続する構造となり電源用ソケットまたはコネクター８に電源コード１１と電源プラグ１０，１２から構成される電源ケーブル９を接続し２次電源装置の電力を供給する構造となる。電源ケーブル９については、電源用ソケットまたはコネクター８を使用せずにシーリングライト４内にリールコードを納め電源コード１１と電源プラグ１２を収納する方法や電源コード１１と電源プラグ１２を直接本体に接続することも考えられるが構造が複雑化したりシーリングライト４の重量が増えたりすることを考慮し電源用ソケットまたはコネクター８を使用し電源ケーブル９を分離する方法を採用することとする。
【００１７】  ２次電力供給時にはシーリングライト４のシーリングキャップ５と電源用ソケットまたはコネクター８は切り替えスイッチ７により絶縁しておき停電復旧時または２次電源装置の電力を供給した時における感電や電気の逆流による他の家電品の火災を防ぐ必要がある。
【００１８】  切り替えスイッチ７は機械的な構造のスイッチ、手動の切り替えスイッチ、電磁弁，リレー等を利用した電気的なスイッチ等が考えられ、直流電力供給の場合はダイオード等による逆流防止の方法も考えられるが、シンプルな構造でかつ確実に絶縁できる手動の切り替えスイッチで絶縁することにする。
【００１９】  交流電力には接地側と非接地側の２つの極性が有りコンセント側にも同様の極性がありますが、電化製品を利用する多くの人は交流電力は接地側と非接地側どちらでも使用が可能なために極性の認識はあまり無いと考えられます。一般的に使用されているシーリングボディでは裏側（工事業者側）の接続には極性が明記されていますが、表側（利用者側）には極性が明記されていない無極性のものが多く、一般的に使用されているシーリングライトにおいてもシーリングライトのシーリングキャップには無極性のシーリングキャップが採用されていることが多くあり、接地側と非接地側のどちらに接続してもシーリングライトは点灯します。また、工事業者での誤配線もあることを考慮して切り替えスイッチ７は２回路以上の多極双投スイッチを使用して確実な絶縁と切り替えを行う様にする必要があります。
【００２０】  交流電力を使用する時のスイッチの取り付けは一般的に非接地側にスイッチを付け接地側に付けないことが多く、商用電力は前記の様に使用する機器において極性が決まっていないことが多いことを考慮して２次電源装置が交流電力を使用する場合の切り替えスイッチ７は２回路以上が同時に切り替わるスイッチを使用することが望ましい。商用電力と２次電源装置の交流電力の供給に使用する配線はそれぞれ接地側と非接地側の２回路となるので２回路を同時に切り替えることができる２極双投スイッチを使用することにより確実な絶縁と切り替えを行う必要がある。（図２，図６参照）
【００２１】  直流電力を使用する時のスイッチの取り付けは交流電力の接続と同様に一般的にプラス側にスイッチを付けマイナス側には付けないことが多く、商用電力は前記の様に使用する機器において極性が決まっていないことが多いことを考慮しかつ商用電力の交流電力と２次電源装置の直流電力の切り替えを同時に行いたいので２次電源装置が直流電力を使用する場合の切り替えスイッチ７は４回路以上が同時に切り替わるスイッチを使用することが望ましい。商用電力の交流電力の供給に使用する配線は接地側と非接地側の２回路となり、２次電源装置の直流電力の供給に使用する配線はプラス側とマイナス側の２回路となるので合わせて４回路の配線を同時に切り替えることができる４極双投スイッチを使用することにより確実な絶縁と切り替えを行う必要がある。（図３，図６参照）
【００２２】  ２次電源装置が交流の場合は、切り替えスイッチ７の接続端子７ａ，７ｄはシーリングライト４のシーリングキャップ５に接続し、接続端子７ｂ，７ｅはシーリングライト４の電子回路１３の交流電源接続部１４に接続し、接続端子７ｃ，７ｆは電源用ソケットまたはコネクター８に接続することにより切り替えスイッチ７で商用電力と２次電源装置の電力を切り替えてシーリングライト４を点灯させる。（図２，図４，図６参照）
【００２３】  ２次電源装置が直流の場合は，切り替えスイッチ７の接続端子７ａ，７ｄはシーリングライト４のシーリングキャップ５に接続し、接続端子７ｂ，７ｅはシーリングライト４の電子回路１３の交流電源接続部１４に接続し、接続端子７ｈ，７ｋはシーリングライト４の電子回路１３の直流電源接続部１５に接続し、接続端子７ｉ，７ｌは電源用ソケットまたはコネクター８に接続することにより切り替えスイッチ７で商用電力の交流電力と２次電源装置の直流電力を切り替えてシーリングライト４を点灯させる。
接続端子７ｃ，７ｆ，７ｇ，７ｊは未接続として絶縁に使用する。（図３，図４，図６参照）
【００２４】  ２次電源装置が直流の場合は電源用ソケットまたはコネクター８に接続する電源ケーブル９の電源プラグ１０と電源用ソケットまたはコネクター８には爪付のプラグ，ソケット，コネクターを使用してプラス側とマイナス側の誤接続（誤配線）を防止する必要がある。
【００２５】  シーリングライト４を点灯させるにあたり２次電源装置の電力を供給させるための電源プラグ１２は２次電源装置にあたる機器（交流の場合は発電機，蓄電器，バッテリー＋インバータ等が想定され直流の場合はバッテリー，モバイルバッテリー，電池等が想定される）の出力電源用のコンセントに形状を合わせる必要がある。
【産業上の利用可能性】  本考案品は、現在一般的に販売されているシーリングライトの一部に２次電源装置の電力を供給させるための電源用ソケットまたはコネクター，切り替えスイッチを追加し電源コード，電源プラグからなる電気コードを接続させるという極めてシンプルな構造であり使用する要素は全てありふれた部品で構成され、現時点での市場において大量に生産・流通・消費がされている部品で製作可能な構成となっている。
【符号の説明】
【００２６】１  既存の天井
２  天井
３  天井側の引掛シーリングボディ（コンセントメス側）
４  シーリングライト
５  シーリングキャップ（コンセントオス側）
６  シーリングライトの電灯部
７  切り替えスイッチ
７ａ  スイッチの接続端子  回路１のａ接点
７ｂ  スイッチの接続端子  回路１のｃ接点（共通端子）
７ｃ  スイッチの接続端子  回路１のｂ接点
７ｄ  スイッチの接続端子  回路２のａ接点
７ｅ  スイッチの接続端子  回路２のｃ接点（共通端子）
７ｆ  スイッチの接続端子  回路２のｂ接点
７ｇ  スイッチの接続端子  回路３のａ接点
７ｈ  スイッチの接続端子  回路３のｃ接点（共通端子）
７ｉ  スイッチの接続端子  回路３のｂ接点
７ｊ  スイッチの接続端子  回路４のａ接点
７ｋ  スイッチの接続端子  回路４のｃ接点（共通端子）
７ｌ  スイッチの接続端子  回路４のｂ接点
８  電源用ソケット（オス）またはコネクター（オス）
９  電源ケーブル
１０  電源プラグ（メス）またはコネクター（メス）
１１  電源コード
１２  電源プラグ（オス）
１３  電子回路
１４  交流電源接続部
１５  直流電源接続部
【図１】
0003228616.tif 000003
【図２】
0003228616.tif 000004
【図３】
0003228616.tif 000005
【図４】
0003228616.tif 000006
【図５】
0003228616.tif 000007
【図６】
0003228616.tif 000008
【手続補正書】
【提出日】令和2年7月9日(2020.7.9)
【手続補正１】
【補正対象書類名】実用新案登録請求の範囲
【補正対象項目名】全文
【補正方法】変更
【補正の内容】
【実用新案登録請求の範囲】
【請求項１】
シーリングライトの商用電力と電子回路の間に切り替えスイッチ，電源用ソケットまたはコネクター，電源ケーブルを追加し商用電力と２次電源装置の２系統の電源を切り替えスイッチにより切り替えてシーリングライトを点灯させる構造で、
天井（２）の引掛シーリングボディ（３）に接続するシーリングライト（４）に切り替えスイッチ（７）と電源用ソケットまたはコネクター（８）と電源コード（１１）と電源プラグ（１０），（１２）から構成される電源ケーブル（９）からなる接続機構を有し、
切り替えスイッチ（７）は、シーリングライト（４）のシーリングキャップ（５）と電源用ソケットまたはコネクター（８）とシーリングライト（４）の電子回路（１３）と接続しシーリングライト（４）のシーリングキャップ（５）から流れる商用電力と電源用ソケットまたはコネクター（８）から流れる２次電源装置（発電機，蓄電器，バッテリー，モバイルバッテリー，電池等）の電力を切り替えシーリングライト（４）の電子回路（１３）の交流電力接続部（１４）または直流電力接続部（１５）に電力を供給し、
電源用ソケットまたはコネクター（８）は、電源コード（１１）と電源プラグ（１０），（１２）から構成される電源ケーブル（９）と接続し、
電源ケーブル（９）は、２次電源装置（発電機，蓄電器，バッテリー，モバイルバッテリー，電池等）に接続し、
停電時に切り替えスイッチ（７）で電力の供給元を商用電力から２次電源装置（発電機，蓄電器，バッテリー，モバイルバッテリー，電池等）の電力に切り替えシーリングライト（４）を点灯させる接続機構を有する非常電源供給機構付シーリングライト。
【請求項２】
前記の接続機構を有するシーリングライトで、
シーリングライト（４）のシーリングキャップ（５）からの電力を切り替えスイッチ（７）の接続端子のａ接点に接続し、
電源プラグまたはコネクター（８）からの電力を切り替えスイッチ（７）の接続端子のｂ接点に接続し、
切り替えスイッチ（７）の接続端子のｃ接点からの電力を電子回路（１３）の交流電源接続部（１４）に接続し、切り替えスイッチ（７）により切り替えられた商用電力または２次電源装置（発電機，蓄電器，バッテリー（バッテリーとの接続の場合はインバータが必要）など）の交流電力によりシーリングライト４を点灯させることを特徴とする請求項１記載の非常電源供給機構付シーリングライト。
【請求項３】
前記の接続機構を有するシーリングライト（４）の切り替えスイッチ（７）の接続先を交流電力の接続先と直流電力の接続先の２つに分けて、
１つ目の接続先として、
シーリングライト（４）のシーリングキャップ（５）からの商用電力は切り換えスイッチ（７）の接続端子のａ接点に接続し、
切り替えスイッチ（７）の接続端子のｃ接点からの電力を電子回路（１３）の交流電  源接続部（１４）に接続し、
切り替えスイッチ（７）の接続端子のｂ接点は未接続として交流電力を絶縁し、
２つ目の接続先（切り替えスイッチの１つ目の接続先とは別の回路）として、
電源用ソケットまたはコネクター（８）からの２次電源装置（バッテリー，電池，モバイルバッテリーなど）の直流電力は切り換えスイッチ（７）の接続端子のｂ接点に接続し、
切り替えスイッチ（７）の接続端子のｃ接点からの電力を電子回路（１３）の交流電源を直流へ変換する回路と照明用回路の間の直流電力接続部（１５）に接続し、
切り替えスイッチ（７）の接続端子のａ接点は未接続として直流電力を絶縁し、
シーリングライト（４）のシーリングキャップ（５）からの商用電力の交流電力と電源用ソケットまたはコネクター（８）からの２次電源装置の直流電力を切り替えスイッチ７により切り替えてシーリングライト（４）を点灯させることを特徴とする請求項１記載の非常電源供給機構付シーリングライト。